(57)【要約】【課題】デジタルスチルカメラでの画像の表示を再現することを目的とする。【解決手段】デジタルスチルカメラが複数の画像データを記憶部から読み出し、読み出した複数の画像データを液晶モニタに表示し、外部装置が通信可能に接続された場合、外部装置がプロジェクタであるかを判断し、外部装置がプロジェクタであると判断した場合、液晶モニタに表示されている複数の画像データのレイアウトと、複数の画像データと、に基づいて、液晶モニタに表示されている複数の画像データの態様を表す一の画像データを生成し、生成した一の画像データを、外部装置に送信することによって課題を解決する。【選択図】図１
2011061717.tif 000002
【特許請求の範囲】
【請求項１】
印刷装置及び画像出力装置に画像データを送信することが可能な画像生成装置であって、
複数の画像データを記憶部から読み出す読出手段と、
前記読出手段で読み出された前記複数の画像データを表示部に表示する表示手段と、
外部装置が通信可能に接続された場合、前記外部装置が前記画像出力装置であるかを判断する判断手段と、
前記判断手段により前記外部装置が前記画像出力装置であると判断された場合、前記表示手段によって前記表示部に表示されている前記複数の画像データのレイアウトと、前記複数の画像データと、に基づいて、前記表示部に表示されている前記複数の画像データの態様を表す一の画像データを生成する生成手段と、
前記生成手段で生成された前記一の画像データを、前記外部装置に送信する送信手段と、
を有する、画像生成装置。
【請求項２】
前記表示手段は、前記複数の画像データに関する補助情報を前記表示部に表示し、
前記生成手段は、前記表示手段によって前記補助情報が前記表示部に表示されている場合には、前記表示手段によって前記表示部に表示されている前記複数の画像データ及び前記補助情報のレイアウトと、前記複数の画像データと、前記補助情報と、に基づいて、前記表示部に表示されている前記複数の画像データ及び前記補助情報の態様を表す一の画像データを生成する、請求項１記載の画像生成装置。
【請求項３】
前記表示手段は、操作対象の画像データを示すオブジェクトを前記表示部に表示し、
前記表示手段によって前記表示部に表示されている前記オブジェクトの位置、大きさ及び範囲に係る情報を含むオブジェクト情報を生成するオブジェクト情報生成手段を更に有し、
前記送信手段は、前記生成手段で生成された前記一の画像データ及び前記オブジェクト情報生成手段で生成された前記オブジェクト情報を送信する、請求項１記載の画像生成装置。
【請求項４】
前記オブジェクト情報生成手段は、前記表示手段によって前記表示部に表示されている前記オブジェクトの位置が変更されると、変更された位置に対応するオブジェクト情報を生成し、
前記送信手段は、前記オブジェクト情報生成手段により変更された位置に対応する前記オブジェクト情報が生成されると、前記オブジェクト情報を送信する、請求項３記載の画像生成装置。
【請求項５】
印刷装置及び画像出力装置に画像データを送信することが可能な画像生成装置であって、
画像データを記憶部から読み出す読出手段と、
前記読出手段で読み出された前記画像データ及び前記画像データに関する補助情報を表示部に表示する表示手段と、
外部装置が通信可能に接続された場合、前記外部装置が前記画像出力装置であるかを判断する判断手段と、
前記判断手段により前記外部装置が前記画像出力装置であると判断された場合、前記表示手段によって前記表示部に表示されている前記画像データ及び前記補助情報のレイアウトと、前記画像データと、前記補助情報と、に基づいて、前記表示部に表示されている前記画像データ及び前記補助情報の態様を表す一の画像データを生成する生成手段と、
前記生成手段で生成された前記一の画像データを、前記外部装置に送信する送信手段と、
を有する、画像生成装置。
【請求項６】
印刷装置及び画像出力装置に画像データを送信することが可能な画像生成装置が実行する画像生成方法であって、
複数の画像データを記憶部から読み出す読出ステップと、
前記読出ステップで読み出された前記複数の画像データを表示部に表示する表示ステップと、
外部装置が通信可能に接続された場合、前記外部装置が前記画像出力装置であるかを判断する判断ステップと、
前記判断ステップにより前記外部装置が前記画像出力装置であると判断された場合、前記表示ステップによって前記表示部に表示されている前記複数の画像データのレイアウトと、前記複数の画像データと、に基づいて、前記表示部に表示されている前記複数の画像データの態様を表す一の画像データを生成する生成ステップと、
前記生成ステップで生成された前記一の画像データを、前記外部装置に送信する送信ステップと、
を有する、画像生成方法。
【請求項７】
印刷装置及び画像出力装置に画像データを送信することが可能な画像生成装置が実行する画像生成方法であって、
画像データを記憶部から読み出す読出ステップと、
前記読出ステップで読み出された前記画像データ及び前記画像データに関する補助情報を表示部に表示する表示ステップと、
外部装置が通信可能に接続された場合、前記外部装置が前記画像出力装置であるかを判断する判断ステップと、
前記判断ステップにより前記外部装置が前記画像出力装置であると判断された場合、前記表示ステップによって前記表示部に表示されている前記画像データ及び前記補助情報のレイアウトと、前記画像データと、前記補助情報と、に基づいて、前記表示部に表示されている前記画像データ及び前記補助情報の態様を表す一の画像データを生成する生成ステップと、
前記生成ステップで生成された前記一の画像データを、前記外部装置に送信する送信ステップと、
を有する、画像生成方法。
【請求項８】
印刷装置及び画像出力装置に画像データを送信することが可能な画像生成装置のコンピュータを、
複数の画像データを記憶部から読み出す読出手段と、
前記読出手段で読み出された前記複数の画像データを表示部に表示する表示手段と、
外部装置が通信可能に接続された場合、前記外部装置が前記画像出力装置であるかを判断する判断手段と、
前記判断手段により前記外部装置が前記画像出力装置であると判断された場合、前記表示手段によって前記表示部に表示されている前記複数の画像データのレイアウトと、前記複数の画像データと、に基づいて、前記表示部に表示されている前記複数の画像データの態様を表す一の画像データを生成する生成手段と、
前記生成手段で生成された前記一の画像データを、前記外部装置に送信する送信手段と、
して機能させるプログラム。
【請求項９】
印刷装置及び画像出力装置に画像データを送信することが可能な画像生成装置のコンピュータを、
画像データを記憶部から読み出す読出手段と、
前記読出手段で読み出された前記画像データ及び前記画像データに関する補助情報を表示部に表示する表示手段と、
外部装置が通信可能に接続された場合、前記外部装置が前記画像出力装置であるかを判断する判断手段と、
前記判断手段により前記外部装置が前記画像出力装置であると判断された場合、前記表示手段によって前記表示部に表示されている前記画像データ及び前記補助情報のレイアウトと、前記画像データと、前記補助情報と、に基づいて、前記表示部に表示されている前記画像データ及び前記補助情報の態様を表す一の画像データを生成する生成手段と、
前記生成手段で生成された前記一の画像データを、前記外部装置に送信する送信手段と、
して機能させるプログラム。
【発明の詳細な説明】
【技術分野】
【０００１】
本発明は、画像生成装置、画像生成方法、及びプログラムに関する。
【背景技術】
【０００２】
従来、デジタルスチルカメラ（以下、ＤＳＣと称する。）からフォトダイレクトプリンタ（以下、ＰＤプリンタと称する。）に画像（画像データ）を直接送信してプリントするダイレクトプリントシステムが普及している。このダイレクトプリントシステムにおいて、ＤＳＣとＰＤプリンタとが異なるメーカの製品である場合には、ＤＳＣからＰＤプリンタへのダイレクトプリントを可能にするための規格としてPictBridgeが利用されている。このPictBridgeによれば、複数枚の画像を１枚の用紙に印刷するインデックス印刷を行うことができる。
【０００３】
近年、PictBridgeのコマンド送受信の際に、コマンドと解釈されないコメント部分に独自のコマンドを埋め込み、このコマンドを解釈できるモジュールをＤＳＣとＰＤプリンタとを備えるシステムが開示されている（例えば、特許文献１参照）。
【先行技術文献】
【特許文献】
【０００４】
【特許文献１】特開２００６−８８３７６号公報
【発明の概要】
【発明が解決しようとする課題】
【０００５】
このようなPictBridgeによる画像データの送受信はＤＳＣとＰＤプリンタとの間での通信を想定したものであるが、ＤＳＣと液晶プロジェクタ等の表示装置との通信に適用することも考えられる。例えば、ＤＳＣに表示中の画像データを液晶プロジェクタに印刷ジョブの形で送信し、液晶プロジェクタは受信した画像データをスクリーンに投影することが考えられる。
このような場合、例えばＤＳＣ側で一画面に複数の画像データを表示した場合に、ＤＳＣ側でどのようなレイアウトで表示されているかを液晶プロジェクタに通知する仕組みが必要となる。
【０００６】
本発明はこのような問題点に鑑みなされたもので、画像生成装置での画像の表示を再現することを目的とする。
【課題を解決するための手段】
【０００７】
そこで、本発明は、印刷装置及び画像出力装置に画像データを送信することが可能な画像生成装置であって、複数の画像データを記憶部から読み出す読出手段と、前記読出手段で読み出された前記複数の画像データを表示部に表示する表示手段と、外部装置が通信可能に接続された場合、前記外部装置が前記画像出力装置であるかを判断する判断手段と、前記判断手段により前記外部装置が前記画像出力装置であると判断された場合、前記表示手段によって前記表示部に表示されている前記複数の画像データのレイアウトと、前記複数の画像データと、に基づいて、前記表示部に表示されている前記複数の画像データの態様を表す一の画像データを生成する生成手段と、前記生成手段で生成された前記一の画像データを、前記外部装置に送信する送信手段と、を有することを特徴とする。
【発明の効果】
【０００８】
本発明によれば、画像生成装置での画像の表示を再現することができる。
【図面の簡単な説明】
【０００９】
【図１】ダイレクトプロジェクションシステムの構成を示す図である。
【図２】プロジェクタ及びＤＳＣにおける電気的な構成を示す図である。
【図３】PictBridgeの通信プロトコルアーキテクチャの一例を示す図である。
【図４】プロジェクタにより投射されるシングル画像の一例を示す図である。
【図５】シングル画像の投射に係るプロジェクタ及びＤＳＣの動作を示す図である。
【図６】インデックス画像の投射に係るプロジェクタ及びＤＳＣの動作を示す図である。
【図７】投射されるメニュー画像の一例を示す図である。
【図８】メニュー画像の投射に係るプロジェクタ及びＤＳＣの動作を示す図である。
【図９】連続投射に係るプロジェクタ及びＤＳＣの動作を示す図である。
【図１０】第２の実施形態に係るプロジェクタ及びＤＳＣの動作を示す図である。
【図１１】カーソルとクロッピング情報との関係を示す図である。
【図１２】カーソル移動とクロッピング情報との関係を示す図である。
【図１３】カーソル移動と画像の更新との関係を示す図である。
【発明を実施するための形態】
【００１０】
以下、本発明の実施の形態について図面に基づいて説明する。
【００１１】
＜第１の実施形態＞
本実施形態は、デジタルスチルカメラ（以下、ＤＳＣと称する。）２が液晶プロジェクタ（以下、プロジェクタと称する。）１にデジタル静止画像を直接送信し、プロジェクタ１が受信した画像を投射するダイレクトプロジェクションシステムに関するものである。
【００１２】
図１は、本実施形態に係るダイレクトプロジェクションシステムの構成を示す図である。本ダイレクトプロジェクションシステムは、プロジェクタ１及びＤＳＣ２を含んで構成される。本ダイレクトプロジェクションシステムでは、PictBridgeを用いてＤＳＣ２からプロジェクタ１へのダイレクトプロジェクションを実現している。プロジェクタ１とＤＳＣ２とは、ＵＳＢ（Universal Serial Bus）ケーブル３を介して接続され、通信可能に構成されている。
プロジェクタ１は、操作パネル１０１、映像用ＩＦ１０２、及びＤＳＣ用ＩＦ１０４を備えている。操作パネル１０１は、各種の操作を行うための操作部である。ＤＳＣ用ＩＦ１０４は、ＤＳＣ２への接続をするためのインタフェース部（換言するならば、インタフェース回路）である。
【００１３】
ＤＳＣ２は、液晶モニタ２０１、操作キー２０２、駆動モード切り替えスイッチ２０３、プリントボタン２０４、メニュー画面表示ボタン２０５、シャッター２０６、表示モード切り替えスイッチ２０７、及びＵＳＢ用ＩＦ２１２を含んで構成される。
液晶モニタ２０１は、後述のＣＣＤ（Charge Coupled Device）２１１に入射する光の像、撮影済みのデジタル静止画像（以下、撮影画像と称する。）、メニュー画像等を表示する。なお、本実施形態では、液晶モニタ２０１として、ＬＣＤ（Liquid Crystal Display）を採用しているが、これに限られるものではない。例えば、液晶モニタ２０１として、有機ＥＬ（Electro-Luminescence）、ペーパーディスプレイを用いてもよい。
操作キー２０２は、各種の操作を行うための操作部である。駆動モード切り替えスイッチ２０３は、ＤＳＣ２における駆動モードを切り替える。なお、駆動モードは、写真を撮影する写真撮影モードと撮影画像を液晶モニタ２０１に表示する撮影画像表示モードとで構成される。プリントボタン２０４は、ＵＳＢケーブル３を介して接続したプロジェクタ１に対してPictBridgeを用いてダイレクトプロジェクションを行うユーザによる指示を受け付ける。メニュー画面表示ボタン２０５は、メニュー画面の表示と非表示とを切り替える。シャッター２０６は、ユーザによる撮影を受け付ける。表示モード切り替えスイッチ２０７は、駆動モードが撮影画像表示モードであるときに、シングル画像表示モードとインデックス画像表示モードとを切り替える。
なお、液晶モニタ２０１は、例えば、複数の撮影画像（画像２５１〜画像２５９）をインデックス表示する。また、液晶モニタ２０１は、カーソル２６０が当たっている画像２５６が総数において何番目であるかを表すＯＳＤ２７１とカーソル２６０が当たっている画像２５６が撮影された日時を表すＯＳＤ２７２とを表示する。ここで、ＯＳＤ（On Screen Display）は、画像に関する補助情報である。
【００１４】
図２は、プロジェクタ１及びＤＳＣ２における電気的な構成を示す図である。
まず、プロジェクタ１について説明する。プロジェクタ１は、操作パネル１０１、映像用ＩＦ１０２、及びＤＳＣ用ＩＦ１０４に加えて、ＣＰＵ１０３、投射エンジン１０５、ＲＯＭ１０６、ＲＡＭ１０７、及び内部バス１０８を含んで構成される。
ＣＰＵ１０３は、装置全体の制御を行う。ここで、ＣＰＵ１０３は、ＰＴＰ（Picture Transfer Protocol）形式のコマンド、PictBridge形式のコマンド等の変換を行うデコーダ１０９及びエンコーダ１１０を備えている。なお、本実施形態では、デコーダ１０９及びエンコーダ１１０には、PictBridgeの通信プロトコルアーキテクチャの構成を採用している。
投射エンジン１０５は、ＤＳＣ２から受信した画像を投射する。なお、投射エンジン１０５は、液晶パネル及びその駆動ドライバ、レンズ及びその駆動系、並びに光源を含んで構成される。ＲＯＭ１０６は、ＣＰＵ１０３の処理手順を記述した制御プログラム等を記憶する。ＲＡＭ１０７は、ワークメモリ等であり、ＤＳＣ２から受信した画像を一時的に記憶する。なお、これらの各装置におけるデータの送受信は、内部バス１０８を介して行われる。
本実施形態では、プロジェクタ１における処理を実現するプログラムが、ＲＯＭ１０６に格納され、プログラムの実行時にＲＡＭ１０７に読み込まれて、ＣＰＵ１０３が処理を行う。すなわち、ＣＰＵ１０３が、ＲＯＭ１０６に格納されたプログラムの手順に従って処理を行うことによって、プロジェクタ１における機能及び後述するシーケンスに係る処理が実現される。
【００１５】
次に、ＤＳＣ２について説明する。ＤＳＣ２は、液晶モニタ２０１、ＣＰＵ２０８、光学ユニット２０９、ドライバ２１０、ＣＣＤ２１１、ＵＳＢ用ＩＦ２１２、ＲＯＭ２１３、ＲＡＭ２１４、ＶＲＡＭ２１５、メモリカードコネクタ２１６、メモリカード２１７及び操作部２３０を含んで構成される。ここで、操作部２３０は、操作キー２０２、駆動モード切り替えスイッチ２０３、プリントボタン２０４、メニュー画面表示ボタン２０５、シャッター２０６、表示モード切り替えスイッチ２０７を含んで構成される。なお、ＤＳＣ２とプロジェクタ１との間のデータの送受信は、ＵＳＢ用ＩＦ２１２とＵＳＢケーブル３とＤＳＣ用ＩＦ１０４とを介して行われる。
ＣＰＵ２０８は、装置全体の制御を行う。ここで、ＣＰＵ２０８は、ＰＴＰ形式のコマンド、PictBridge形式のコマンド等を変換するデコーダ２１９及びエンコーダ２２０を備えている。なお、本実施形態では、デコーダ２１９及びエンコーダ２２０は、PictBridgeの通信プロトコルアーキテクチャの構成を採用している。
また、ＣＰＵ２０８は、判別部２２１、画像処理部２２２、生成部２２３、及びＯＳＤ作成部２２４を含んで構成される。判別部２２１は、ＵＳＢケーブル３を介して接続された装置が画像出力装置（例えば、プロジェクタ１）であるか画像生成装置（例えば、ＤＳＣ２、換言するならば、画像印刷装置）であるかを判別する。すなわち、判別部２２１は、ＵＳＢケーブル３を介して接続された装置を判別する。画像処理部２２２は、駆動モードが撮影画像表示モードであるときに、液晶モニタ２０１に表示される画像に対して画像処理を施す。生成部２２３は、駆動モードが撮影画像表示モードであるときに、液晶モニタ２０１に表示されたままの形態の画像データ（ＬＣＤモニタ画像ファイル）を生成する。ＯＳＤ作成部２２４は、メニュー画像等のＯＳＤを作成する。
光学ユニット２０９は、レンズ及びその駆動系を含んで構成される。ドライバ２１０は、光学ユニット２０９を制御するためのドライバである。ＣＣＤ２１１は、撮像素子である。ＵＳＢ用ＩＦ２１２は、プロジェクタ１への接続をするためのインタフェース部（換言するならば、インタフェース回路）である。ＲＯＭ２１３は、ＣＰＵ２０８の処理手順を記述した制御プログラム等を記憶する。ＲＡＭ２１４は、ＤＳＣ２内部で生成する画像データ等を一時的に記憶する。ＶＲＡＭ２１５は、液晶モニタ２０１における表示に用いられる画像データ等を記憶するメモリである。メモリカード２１７は、撮影画像データ等を記録する。メモリカードコネクタ２１６は、メモリカード２１７を接続するためのコネクタである。なお、これらの各装置におけるデータの送受信は、内部バス２１８を介して行われる。
ここで、メモリカード２１７は、薄型でカードのような外観を有する記憶媒体であるが、この外観に限られるものではない。例えば、ＣＤ−ＲＯＭ、ＤＶＤ−ＲＯＭの記憶媒体であってもよい。
本実施形態では、ＤＳＣ２における処理を実現するプログラムが、ＲＯＭ２１３に格納され、プログラムの実行時にＲＡＭ２１４に読み込まれて、ＣＰＵ２０８が処理を行う。すなわち、ＣＰＵ２０８が、ＲＯＭ２１３に格納されたプログラムの手順に従って処理を行うことによって、ＤＳＣ２における機能及び後述するシーケンスに係る処理が実現される。
【００１６】
図３は、PictBridgeの通信プロトコルアーキテクチャの一例を示す図でる。PictBridgeでは、物理層にＵＳＢ４０を用い、物理層の上位の層であるトランスポート層にＰＴＰを用いる。そして、トランスポート層とアプリケーション層との間に、変換用のレイヤ（層）であるＤＰＳ層を新たに設けて、プロジェクタ１及びＤＳＣ２は、このＤＰＳ層で、ＰＴＰの通信プロトコルとＤＰＳアプリケーションとのマッピングをう。PictBridgeは、ＤＰＳ層とアプリケーション層とのインタフェースプロトコルを規格化したものである。
次に、PictBridgeのソフトウェアコンポーネントについて説明する。PictBridgeのソフトウェアコンポーネントには、アプリケーション層内にPrint Server４３、Print Client４４、Storage Server４５、及びStorage Client４６がある。また、ＤＰＳ層内にDPS Discovery４１及びDPS Discovery４２がある。
ＤＰＳアプリケーションでは、基本的に、Clientからの要求に対してServerが応答し、その結果をClientに返答することで各DPS Operationが完結する。また、Serverから発行される通知に対してClientが応答して、その受け取り確認をServerに返答することでDPS Eventが完結する。
なお、PictBridgeでは、ＤＳＣ２側からの印刷要求に応じてプロジェクタ１側が印刷を実行する際に、プロジェクタ１側がＤＳＣ２側に画像データを要求することを想定している。故に、ユーザは、通常、Storage Client４６を意識しない。
【００１７】
（シングル画像画面の表示）
次に、図４及び図５を参照して、本ダイレクトプロジェクションシステムのシングル画像ダイレクトプロジェクションにおけるユーザの動作を契機として行われるプロジェクタ１及びＤＳＣ２の動作を説明する。図４は、プロジェクタ１により投射されるシングル画像の一例を示す図であり、図５は、シングル画像の投射に係るプロジェクタ１及びＤＳＣ２の動作（シーケンス）の一例を示す図である。
はじめに、ユーザは、プロジェクタ１及びＤＳＣ２をＵＳＢケーブル３により接続し、駆動モード切り替えスイッチ２０３を操作してＤＳＣ２の駆動モードを撮影画像表示モードとする（ステップＳ１０１）。
ユーザによる操作を契機として、プロジェクタ１側のＣＰＵ１０３及びＤＳＣ２側のＣＰＵ２０８は、DPS_Discoveryで互いの機器がDPS機能（ダイレクトプリント機能）を有する機器であるか否かのネゴシエーションを行う（ステップＳ１０２）。
続いて、ＣＰＵ１０３及びＣＰＵ２０８により、互いにPictBridgeに対応している機器であることが確認されると、プロジェクタ１及びＤＳＣ２は、使用するバージョン情報、その他の設定情報を通知し合う（ステップＳ１０３）。言い換えるならば、プロジェクタ１及びＤＳＣ２は、ＤＰＳアプリケーションに制御を移行し、DPS_ConfigurePrintServiceで両機器がどのようなサービス機能を有するかを通知し合う。
ＤＳＣ２は、DPS_ConfigurePrintServiceで得た情報（機能情報）を基にPictBridgeで接続した外部装置がプロジェクタ１であるか、プリンタであるかを判断する（ステップＳ１０４）。
プロジェクタ１と判断した場合、続いてＤＳＣ２は、プロジェクタ１に対してDPS_GetCapabilityで、設定可能な能力をプロジェクタ１に問い合わせる（ステップＳ１０５）。プロジェクタ１は、DPS_GetCapabilityの要求を受けると、投射パネルのサイズ、設定可能な能力情報等をＤＳＣ２に送信する（ステップＳ１０６）。そして、ＤＳＣ２は、設定可能な能力情報等をプロジェクタ１から受信する（ステップＳ１０７）。
続いて、ＤＳＣ２は、液晶モニタ２０１に表示する画像ファイル（画像データ）をメモリカード２１７から読み出し、画像データをＲＡＭ２１４に一時的に保存する（ステップＳ１０８）。
【００１８】
ＤＳＣ２（より詳細には、画像処理部２２２）は、ステップＳ１０８でＲＡＭ２１４に保存された画像データに対して、液晶モニタ２０１に表示する際に適したサイズに縮小処理を加える。また、ＤＳＣ２は、処理を施した画像データにＯＳＤ２７１、ＯＳＤ２７２、及びＯＳＤ２７３を重畳してサムネイル画像データとしてＶＲＡＭ２１５に保存し、サムネイル画像を液晶モニタ２０１に表示する（ステップＳ１０９）。
すなわち、ＤＳＣ２は、画像データを記憶部（例えば、ＲＡＭ２１４、ＶＲＡＭ２１５、メモリカード２１７）から読み出す読出手段の一例であるＣＰＵ２０８を含んで構成される。また、ＤＳＣ２は、読み出された画像データを表示部（例えば、液晶モニタ２０１）に表示する表示手段の一例であるＣＰＵ２０８を含んで構成される。
続いて、ＤＳＣ２は、ＲＡＭ２１４で一時的に保存した画像データに対して、接続したプロジェクタ１に画像を表示するために投射パネルのサイズに適した縮小処理等を加える。そして、ＤＳＣ２は、液晶モニタ２０１に表示されたサムネイル画像と同様のレイアウトで処理を施した画像データを配置する。また、ＤＳＣ２は、適切に配置した画像データにＯＳＤ２７１、ＯＳＤ２７２、及びＯＳＤ２７３を重畳し、ＬＣＤモニタ画像ファイル（一の画像データ）としてＲＡＭ２１４に保存する（ステップＳ１１０）。ここで、ＤＳＣ２は、液晶モニタ２０１に表示されたサムネイル画像と同様の画像になるようにＯＳＤ２７１、ＯＳＤ２７２、及びＯＳＤ２７３の大きさを調整する。このとき、ＤＳＣ２は、ＬＣＤモニタ画像ファイルのファイル名として、メモリカード２１７内に保存された画像ファイルと合致しないユニークなファイル名を与える。
すなわち、ＤＳＣ２は、液晶モニタ２０１に表示されている画像データの態様を表すＬＣＤモニタ画像ファイルを生成する生成手段の一例であるＣＰＵ２０８を含んで構成される。ここで、ＤＳＣ２は、ＣＰＵ２０８によって液晶モニタ２０１に表示されている画像データ及び補助情報のレイアウトと画像データと補助情報とに基づいて、ＬＣＤモニタ画像ファイルを生成してもよい。また、ＤＳＣ２は、ＣＰＵ２０８によって液晶モニタ２０１に表示されている複数の画像データ及び補助情報のレイアウトと複数の画像データと補助情報とに基づいて、ＬＣＤモニタ画像ファイルを生成してもよい（例えば、図１、図６を参照）。更には、ＤＳＣ２は、ＣＰＵ２０８によって液晶モニタ２０１に表示されている複数の画像データのレイアウトと複数の画像データとに基づいて、ＬＣＤモニタ画像ファイルを生成してもよい（例えば、図７、図８を参照）。
【００１９】
ユーザは、液晶モニタ２０１に表示されたシングル画像を確認し、プリントボタン２０４を押す（ステップＳ１１１）。
ユーザによる操作を契機として、ＤＳＣ２は、プロジェクタ１に各種の出力設定情報と共に、印刷開始を要求するため、プロジェクタ１に対してDPS_StartJobを送信する（ステップＳ１１２）。他方、プロジェクタ１は、DPS_StartJobを受信する（ステップＳ１１３）。
このように、プロジェクタ１は、印刷開始要求を受けると、印刷に必要な画像ファイルのサイズ等の情報を要求するため、ＤＳＣ２に対してDPS_GetFileInfoを送信する（ステップＳ１１４）。
ＤＳＣ２は、DPS_GetFileInfoを受信すると（ステップＳ１１５）、ＲＡＭ２１４からＬＣＤモニタ画像ファイル Infoを取得する（ステップＳ１１６）。続いて、ＤＳＣ２は、プロジェクタ１にＬＣＤモニタ画像ファイル Infoを送信する（ステップＳ１１７）。
プロジェクタ１は、ＬＣＤモニタ画像ファイル Infoを受信すると（ステップＳ１１８）、ＬＣＤモニタ画像ファイル Infoに基づき、ＤＳＣ２に対してDPS_GetFileを送信する（ステップＳ１１９）。
ＤＳＣ２は、DPS_GetFileを受信すると（ステップＳ１２０）、ＲＡＭ２１４からＬＣＤモニタ画像ファイルを取得する（ステップＳ１２１）。続いて、ＤＳＣ２は、プロジェクタ１にＬＣＤモニタ画像ファイルを送信する（ステップＳ１２２）。すなわち、ＤＳＣ２は、生成したＬＣＤモニタ画像ファイルを、通信可能に接続された画像出力装置（例えば、プロジェクタ１）に送信する送信手段の一例であるＣＰＵ２０８を含んで構成される。
プロジェクタ１は、ＬＣＤモニタ画像ファイルを受信すると（ステップＳ１２３）、実際の投射を行う（ステップＳ１２４）。そして、プロジェクタ１は、投射を終了した後、その結果をDPS_NotifyDeviceStatus（印刷終了通知コマンド）としてＤＳＣ２に送信する（ステップＳ１２５）。
ＤＳＣ２は、DSP_NotifyDeviceStatusを受信する（ステップＳ１２６）。
【００２０】
（インデックス画像画面の表示）
次に、図１及び図６を参照して、本ダイレクトプロジェクションシステムのインデックス画像ダイレクトプロジェクションにおけるユーザの動作を契機として行われるプロジェクタ１及びＤＳＣ２の動作を説明する。図６は、インデックス画像の投射に係るプロジェクタ１及びＤＳＣ２の動作（シーケンス）の一例を示す図である。なお、図１には、投射されるインデックス画像の一例が示されている。
はじめに、ユーザは、プロジェクタ１及びＤＳＣ２をＵＳＢケーブル３により接続し、駆動モード切り替えスイッチ２０３を操作してＤＳＣ２の駆動モードを撮影画像表示モードとする（ステップＳ２０１）。また、ユーザは、ＤＳＣ２の表示モード切り替えスイッチ２０７で表示モードをインデックス画像表示モードとする操作を行う（ステップＳ２０２）。
ユーザによる操作を契機として、ＤＳＣ２側のＣＰＵ２０８は、表示モードをインデックス画像表示モードとする（ステップＳ２０３）。
続いて、プロジェクタ１側のＣＰＵ１０３及びＤＳＣ２側のＣＰＵ２０８は、DPS_Discoveryで互いの機器がDPS機能を有する機器であるか否かのネゴシエーションを行う（ステップＳ２０４）。ここで、ステップＳ２０５からステップＳ２０９までの処理については、ステップＳ１０３からステップＳ１０７までの処理と同様であるので説明を省略する。
続いて、ＤＳＣ２は、液晶モニタ２０１に表示する９枚の画像ファイル（画像２５１〜画像２５９）をメモリカード２１７から読み出し、画像データ群をＲＡＭ２１４に一時的に保存する（ステップＳ２１０）。
【００２１】
ＤＳＣ２（より詳細には、画像処理部２２２）は、ステップＳ２１０でＲＡＭ２１４に保存された画像データ群に対して、液晶モニタ２０１にインデックス表示する際に適したサイズに縮小処理を加える。また、ＤＳＣ２は、処理を施した画像データ群をインデックス表示用に３行３列の配置で並べ、カーソル２６０、ＯＳＤ２７１、ＯＳＤ２７２を重畳してサムネイル画像データとしてＶＲＡＭ２１５に保存する（ステップＳ２１１）。そして、ＤＳＣ２は、サムネイル画像を液晶モニタ２０１に表示する。
続いて、ＤＳＣ２は、ＲＡＭ２１４で一時的に保存した画像データ群に対して、接続したプロジェクタ１にインデックス画像を表示するために投射パネルのサイズに適した縮小処理等を加える。そして、ＤＳＣ２は、液晶モニタ２０１に表示されたサムネイル画像と同様のレイアウトで処理を施した画像データ群を配置する。また、ＤＳＣ２は、適切に配置した画像データ群にカーソル２６０、ＯＳＤ２７１、及びＯＳＤ２７２を重畳し、ＬＣＤモニタ画像ファイルとしてＲＡＭ２１４に保存する（ステップＳ２１２）。ここで、ＤＳＣ２は、液晶モニタ２０１に表示されたサムネイル画像と同様の画像になるようにカーソル２６０、ＯＳＤ２７１、及びＯＳＤ２７２の大きさを調整する。このとき、ＤＳＣ２は、ＬＣＤモニタ画像データのファイル名として、メモリカード２１７内に保存された画像ファイルと合致しないユニークなファイル名を与える。ここで、ステップＳ２１３からステップＳ２２８までの処理については、ステップＳ１１１からステップＳ１２６までの処理と同様であるので説明を省略する。
【００２２】
（メニュー画像画面の表示）
次に、図７及び図８を参照して、本ダイレクトプロジェクションシステムのメニュー画像ダイレクトプロジェクションにおけるユーザの動作を契機として行われるプロジェクタ１及びＤＳＣ２の動作を説明する。図７は、投射されるメニュー画像の一例を示す図であり、図８は、メニュー画像の投射に係るプロジェクタ１及びＤＳＣ２の動作（シーケンス）の一例を示す図である。
はじめに、ユーザは、プロジェクタ１及びＤＳＣ２をＵＳＢケーブル３により接続し、駆動モード切り替えスイッチ２０３を操作してＤＳＣ２の駆動モードを撮影画像表示モードとする（ステップＳ３０１）。また、ユーザは、ＤＳＣ２のメニュー画面表示ボタン２０５を押す（ステップＳ３０２）。
ユーザによる操作を契機として、プロジェクタ１側のＣＰＵ１０３及びＤＳＣ２側のＣＰＵ２０８は、DPS_Discoveryで互いの機器がDPS機能を有する機器であるか否かのネゴシエーションを行う（ステップＳ３０３）。ここで、ステップＳ３０４からステップＳ３０８までの処理については、ステップＳ１０３からステップＳ１０７までの処理と同様であるので説明を省略する。
続いて、ＤＳＣ２（より詳細には、ＯＳＤ作成部２２４）は、液晶モニタ２０１に表示するメニューに係る画像データを作成し、ＶＲＡＭ２１５に一時的に保存する（ステップＳ３０９）。ＤＳＣ２は、ＶＲＡＭ２１５に保存されている画像データに係るメニューを液晶モニタ２０１に表示する（ステップＳ３１０）。
ＤＳＣ２は、接続したプロジェクタ１に表示させる画像データを作成するため、プロジェクタ１の投射パネルのサイズに適したメニューに係る画像データを作成し、ＬＣＤモニタ画像ファイルとしてＲＡＭ２１４に保存する（ステップＳ３１１）。このとき、ＤＳＣ２は、ＬＣＤモニタ画像ファイルのファイル名として、メモリカード２１７内に保存された画像ファイルと合致しないユニークなファイル名を与える。ここで、ステップＳ３１２からステップＳ３２７までの処理については、ステップＳ１１１からステップＳ１２６までの処理と同様であるので説明を省略する。
【００２３】
（連続投射）
次に、図９を参照して、本ダイレクトプロジェクションシステムの連続ダイレクトプロジェクションにおける、ユーザの動作を契機として行われるプロジェクタ１及びＤＳＣ２の動作を説明する。図９は、連続投射に係るプロジェクタ１及びＤＳＣ２の動作（シーケンス）の一例を示す図である。
ここでは、第一のダイレクトプロジェクションの終了に係るプロジェクタ１によるDPS_NotifyDeviceStatusの送信から第二のダイレクトプロジェクションの開始に係るＤＳＣ２によるDPS_StartJobの送信までを主に説明する。
【００２４】
プロジェクタ１は、第一のダイレクトプロジェクションにおける投影までが終了すると（ステップＳ４０１）、その結果をDPS_NotifyDeviceStatusとしてＤＳＣ２に送信する（ステップＳ４０２）。他方、ＤＳＣ２は、DPS_NotifyDeviceStatusを受信する（ステップＳ４０３）。
ユーザは、操作キー２０２を操作し、次の画像を選択する（ステップＳ４０４）。
ＤＳＣ２は、液晶モニタ２０１に表示する画像ファイルをメモリカード２１７から読み出し、画像データをＲＡＭ２１４に一時的に保存する（ステップＳ４０５）。
ＤＳＣ２（より詳細には、画像処理部２２２）は、ステップＳ４０５でＲＡＭ２１４に保存した画像データに対して、液晶モニタ２０１に表示する際に適したサイズに縮小処理を加える。また、ＤＳＣ２は、処理を施した画像データにＯＳＤ２７１、ＯＳＤ２７２、及びＯＳＤ２７３を重畳してサムネイル画像データとしてＶＲＡＭ２１５に保存し、サムネイル画像を液晶モニタ２０１に表示する（ステップＳ４０６）。
続いて、ＤＳＣ２は、ＲＡＭ２１４で一時的に保存した画像データに対して、接続したプロジェクタ１に画像を表示するために投射パネルのサイズに適した縮小処理等を加える。そして、ＤＳＣ２は、液晶モニタ２０１に表示されたサムネイル画像と同様のレイアウトで処理を施した画像データを配置する。また、ＤＳＣ２は、適切に配置した画像データにＯＳＤ２７１、ＯＳＤ２７２、及びＯＳＤ２７３を重畳し、ＬＣＤモニタ画像ファイルとしてＲＡＭ２１４に保存する（ステップＳ４０７）。ここで、ＤＳＣ２は、液晶モニタ２０１に表示されたサムネイル画像と同様の画像になるようにＯＳＤ２７１、ＯＳＤ２７２、及びＯＳＤ２７３の大きさを調整する。このとき、ＤＳＣ２は、ＬＣＤモニタ画像ファイルのファイル名として、第一のダイレクトプロジェクションで使用した、メモリカード２１７内に保存された画像ファイルと合致しないユニークなファイル名を与える。
ここで、ＤＳＣ２は、プロジェクタ１に対してファイル更新情報を送信する（ステップＳ４０８）。プロジェクタ１は、ファイル更新情報を受信すると（ステップＳ４０９）、プロジェクタ１の内部に持つＬＣＤモニタ画像ファイル（モニタ画像データ）が更新されたことを認識する（ステップＳ４１０）。
【００２５】
ユーザは、液晶モニタ２０１に表示された画像（例えば、シングル画像）を確認し、プリントボタン２０４を押す（ステップＳ４１１）。ここで、ステップＳ４１２からステップＳ４２６までの処理については、ステップＳ１１２からステップＳ１２６までの処理と同様であるので説明を省略する。
【００２６】
＜第２の実施形態＞
第２の実施形態では、操作対象の画像データを示すオブジェクトの一例であるカーソルの移動が行われたときのプロジェクタ１及びＤＳＣ２での処理に要する時間を低減し、カーソル移動に係るタイムラグを極力排除する構成を採用している。
図１０を参照して、第２の実施形態に係るダイレクトプロジェクションシステムのインデックス画像ダイレクトプロジェクションにおけるユーザの動作を契機として行われるプロジェクタ１及びＤＳＣ２の動作を説明する。なお、第１の実施形態と同一の部分については同一の符号を用いる。
ユーザは、駆動モード切り替えスイッチ２０３を操作してＤＳＣ２の駆動モードを撮影画像表示モードとする（ステップＳ５０１）。
ＤＳＣ２は、ユーザによる操作を契機として、液晶モニタ２０１に撮影画像（例えば、シングル画像）を表示する（ステップＳ５０２）。
ユーザは、プロジェクタ１及びＤＳＣ２をＵＳＢケーブル３により接続する（ステップＳ５０３）。ここで、ステップＳ５０４からステップＳ５０７までの処理については、ステップＳ１０２からステップＳ１０５までの処理と同様であるので説明を省略する。
プロジェクタ１は、DPS_GetCapabilityの要求を受けると、投射パネルのサイズ、クロッピングの設定等の設定可能な能力情報等を送信する（ステップＳ５０８）。そして、ＤＳＣ２は、設定可能な能力情報等をプロジェクタ１から受信する（ステップＳ５０９）。
ＤＳＣ２は、ステップＳ５０５及びステップＳ５０９で受け取った情報から、プロジェクタ１がクロッピング情報をカーソル情報として送信可能な機器であるか否かを判断する（ステップＳ５１０）。ここで、カーソル情報は、カーソルの位置、大きさ及び範囲に係る情報を含むオブジェクト情報の一例である。すなわち、ＤＳＣ２は、オブジェクト情報を生成するオブジェクト情報生成手段の一例であるＣＰＵ２０８を含んで構成される。なお、ＤＳＣ２は、クロッピング情報をカーソル情報として送信不可能と判断した場合には、画像にカーソル情報を重畳して画像データを作成して画像データを送信する。この場合、ＤＳＣ２は、カーソル移動が発生するごとに画面データを作成し直す。
【００２７】
ユーザは、表示モード切り替えスイッチ２０７を操作し、例えば、表示モードがシングル画像表示モードからインデックス画像表示モードへ表示モードを切り換える（ステップＳ５１１）。換言するならば、液晶モニタ２０１に表示する画像の枚数をシングル画像表示モードの１枚からインデックス画像表示モードの９枚へ切り替える。
ＤＳＣ２は、画像を表示する枚数の切り替え操作に伴い、液晶モニタ２０１に表示する９枚の画像ファイル（画像２５１から画像２５９まで）をメモリカード２１７から読み出し、画像データ群をＲＡＭ２１４に一時的に保存する（ステップＳ５１２）。
ＤＳＣ２（より詳細には、画像処理部２２２）は、ステップＳ２１０でＲＡＭ２１４に保存された画像データ群に対して、液晶モニタ２０１にインデックス表示する際に適したサイズに縮小処理を加える。また、ＤＳＣ２は、処理を施した画像データ群をインデックス表示用に３行３列の配置で並べ、カーソル２６０、ＯＳＤ２７１、ＯＳＤ２７２を重畳してサムネイル画像データとしてＶＲＡＭ２１５に保存する（ステップＳ５１３）。ＤＳＣ２は、サムネイル画像を液晶モニタ２０１に表示する。
ＤＳＣ２は、ＲＡＭ２１４で一時的に保存した画像データ群に対して、接続したプロジェクタ１にインデックス画像を表示するために投射パネルのサイズに適した縮小処理等を加える。そして、ＤＳＣ２は、液晶モニタ２０１に表示されたサムネイル画像と同様のレイアウトで処理を施した画像データ群を配置する。また、ＤＳＣ２は、適切に配置した画像データ群をＬＣＤモニタ画像ファイルとしてＲＡＭ２１４に保存する（ステップＳ５１４）。
【００２８】
ＤＳＣ２は、カーソル情報をクロッピング情報として、クロッピング情報を含むDPS_StartJob（シングルプリントＪｏｂスクリプト）を作成する（ステップＳ５１５）。例えば、DPS_StartJob内に「＜cropping Area＞XXXX YYYY ZZZZ WWWW」と記述する。ここでXXXX、YYYYは、カーソルの右上の座標を示し、ZZZZは、カーソルの幅を示し、WWWWは、カーソルの高さを示す。
ＤＳＣ２は、DPS_StartJobをプロジェクタ１へ送信する（ステップＳ５１６）。その際に、ＤＳＣ２は、画像を一意に認識するためのファイル認識子（ＸＸ）を付加してDPS_StartJobを送信する。
プロジェクタ１は、DPS_StartJobを受信する（ステップＳ５１７）。続いて、プロジェクタ１は、DPS_StartJobに記載されたファイル識別子（ＸＸ）についてのファイル情報の送信をＤＳＣ２に対して要求するため、ＤＳＣ２に対してDPS_GetFileInfoを送信する（ステップＳ５１８）。ここで、ファイル情報とは、例えば、ファイル名、ファイルサイズ、ファイル属性等である。このような情報によって、プロジェクタ１及びＤＳＣ２は、互いの接続が円滑に行われるかどうかを直ちに判定することができる。
ＤＳＣ２は、DPS_GetFileInfoを受信すると（ステップＳ５１９）、ＲＡＭ２１４より指定したファイル識別子（ＸＸ）のファイル情報を取得する。続いて、ＤＳＣ２は、要求のあったファイル識別子（ＸＸ）のファイル情報をプロジェクタ１に送信する（ステップＳ５２０）。
プロジェクタ１は、ファイル識別子（ＸＸ）のファイル情報を受信すると（ステップＳ５２１）、ファイル識別子（ＸＸ）のファイル情報に基づき、ＤＳＣ２に対してDPS_GetFileを送信する（ステップＳ５２２）。換言するならば、プロジェクタ１は、受信したファイル情報に基づいて、画像ファイルを受信するための準備を行う。すなわち、プロジェクタ１は、ファイルサイズから空き容量のチェックを行い、ＤＳＣ２がファイル識別子（ＸＸ）の画像ファイル受信可能かどうかの判断を行う。そして、プロジェクタ１は、ＤＳＣ２がファイル識別子（ＸＸ）の画像ファイル受信可能であると判断すると、ＤＳＣ２に対して画像ファイルの転送を要求する。
ＤＳＣ２は、DPS_GetFileを受信すると（ステップＳ５２３）、すなわち、プロジェクタ１の画像ファイル要求を受けると、ＲＡＭ２１４からファイル識別子（ＸＸ）の画像ファイルを取得する。続いて、ＤＳＣ２は、プロジェクタ１にファイル識別子（ＸＸ）の画像ファイルを送信する（ステップＳ５２４）。
プロジェクタ１は、指定したファイル識別子（ＸＸ）の画像ファイルを受信する（ステップＳ５２５）。
プロジェクタ１は、画像ファイルをＲＡＭ１０７上にデコードする（ステップＳ５２６）。そして、プロジェクタ１は、デコードされた画像にクロッピング情報に係るカーソルを重畳して投射する（ステップＳ５２７）。例えば、図１１（ａ）に示す画像がＤＳＣ２で作成され、図１１（ｂ）に示すクロッピング情報が指定された場合は、図１１（ｃ）に示す画像が結果として投射される。
プロジェクタ１は、投射を終了した後、その結果をDPS_NotifyDeviceStatusとしてＤＳＣ２に送信する（ステップＳ５２８）。
ＤＳＣ２は、DSP_NotifyDeviceStatusを受信する（ステップＳ５２９）。
【００２９】
ユーザは、操作キー２０２を操作してカーソルを移動する操作を行う（ステップＳ５３０）。
ＤＳＣ２は、作成したインデックス画像のカーソル位置を更新して液晶モニタ２０１に表示する（ステップＳ５３１）。
ＤＳＣ２は、カーソルの位置情報をクロッピング情報に反映し、クロッピング情報を含むオブジェクト情報の一例であるDPS_StartJobを作成する（ステップＳ５３２）。
すなわち、ＤＳＣ２は、ＣＰＵ２０８によって液晶モニタ２０１に表示されているカーソルの位置、大きさ及び範囲のうち少なくとも１つが変更されると、変更された位置、大きさ、範囲又はこれらの組み合わせに対応するオブジェクト情報を生成する。
ＤＳＣ２は、DPS_StartJobをプロジェクタ１へ送信する（ステップＳ５３３）。この際に、ＤＳＣ２は、カーソルの移動であるので、同一のファイル情報を指定する。上述の例であれば、ＤＳＣ２は、ファイル識別子ＸＸを指定する。
プロジェクタ１は、DPS_StartJobを受信すると（ステップＳ５３４）、ファイル情報が同一であるか否かを判断する（ステップＳ５３５）。プロジェクタ１は、ＲＡＭ１０７上に展開した画像に、クロッピング情報をカーソルとして重畳して投射する（ステップＳ５３６）。
プロジェクタ１は、投射を終了した後、その結果をDPS_NotifyDeviceStatusとしてＤＳＣ２に送信する（ステップＳ５３７）。
ＤＳＣ２は、DPS_NotifyDeviceStatusを受信する（ステップＳ５３８）。
上述の内容を踏まえると、カーソル以外の部分は同じ画像を液晶モニタ２０１が表示している場合には、ユーザがＤＳＣ２においてカーソルの移動を行ったとしても、プロジェクタ１は、画像データを新たに生成しない。また、ＤＳＣ２は、画像データが新たに生成されないので、画像データをデコードする処理を行わない。したがって、この構成によれば、ユーザによりカーソルが移動されたとしても、特に処理の負荷が大きい画像の生成処理及び画像のデコード処理を省略し得るので、プロジェクタ１により投射された内容が更新されるまでの時間を短縮することができる。
【００３０】
図１２は、ＤＳＣ２で作成される画像、カーソル移動前後のクロッピング情報、及びプロジェクタ１で投射されるカーソル移動前後の画像を示した図である。
プロジェクタ１は、（ａ）に示す画像と（ｂ−１）に示すクロッピング情報とを受信すると、受信した画像とクロッピング情報とを合成して（ｃ−１）に示す画像を生成する。
プロジェクタ１は、同様に、（ａ）に示す画像と（ｂ−２）に示すクロッピング情報とを受信すると、受信した画像とクロッピング情報とを合成して（ｃ−２）に示す画像を生成する。
【００３１】
図１３は、カーソル移動と画像の更新との関係を示す図である。例えば、ＤＳＣ２は、図１３（ａ）に示す画像を作成した場合、図１３（ｂ）に示すカーソル移動のみが発生する際には、一度作成した画像を作成し直さない。同一画面内でのカーソル移動であれば、プロジェクタ１とＤＳＣ２とでは、図１０においてステップＳ５３０からステップＳ５３８までの処理を繰り返すこととなる。
すなわち、画像の作成処理（ステップＳ５１２からステップＳ５１４まで）、ファイルの取得処理（ステップＳ５１８からＳ５２５まで）、画像ファイルのデコード処理（ステップＳ５２６）等を省略することが可能である。
【００３２】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００３３】
上述した実施形態の構成によれば、画像生成装置での画像の表示を再現することができる。
【００３４】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００３５】
１  プロジェクタ、２  ＤＳＣ、２０１  液晶モニタ
【図１】
2011061717.tif 000003
【図２】
2011061717.tif 000004
【図３】
2011061717.tif 000005
【図４】
2011061717.tif 000006
【図５】
2011061717.tif 000007
【図６】
2011061717.tif 000008
【図７】
2011061717.tif 000009
【図８】
2011061717.tif 000010
【図９】
2011061717.tif 000011
【図１０】
2011061717.tif 000012
【図１１】
2011061717.tif 000013
【図１２】
2011061717.tif 000014
【図１３】
2011061717.tif 000015